(57)【要約】      （修正有）【課題】徘徊者等が着用する衣服に名札タグを装着し、該徘徊者等が玄関、エレベーター前、勝手口等に近づくと、徘徊ナビモニターで検知して管理者等に報知する名札タグ及び該名札タグを用いた徘徊者検知装置を提供する。【解決手段】徘徊者が着用する衣服に装着可能な係止手段を有する名札タグ１は、名前カードを挿入又は挟持する少なくとも前面が透明又は半透明なカード保持部を有する名札と、該名札に装着された無線発信機より構成されている。該無線発信機は、予め登録された識別信号を特定周波数域の近距離無線信号で、継続して発信する。徘徊者監視装置は、名札タグ１から発信された無線信号を受信して報知用信号を発信する徘徊ナビモニター２と、該徘徊ナビモニター２から発信された報知用信号を徘徊者の家族及び／叉は管理者に報知する報知器３からなる。【選択図】図３
0003207599.tif 000002
【実用新案登録請求の範囲】
【請求項１】
徘徊者が着用する衣服に装着可能な係止手段を有する名札タグであって、
名札を挿入又は挟持する少なくとも前面が透明又は半透明な名札部と、該名札部に装着された無線発信機より構成されており、
該無線発信機は、予め登録された識別信号を特定周波数域の近距離無線信号で、継続して発信するもので、高周波発振回路、信号送信回路、アンテナ、制御回路及び電池より構成されていることを特徴とする名札タグ。
【請求項２】
前記名札タグは、常時、徘徊ナビモニターに対して識別信号を間欠送信していることを特徴とする請求項１に記載の名札タグ。
【請求項３】
名札タグと、該名札タグから発信された無線信号を受信して、報知用信号を発信する徘徊ナビモニターと、該徘徊ナビモニターから発信された報知用信号を徘徊者の家族及び／叉は管理者に報知する報知器とから構成されていることを特徴とする、名札タグを用いた徘徊者監視装置。
【請求項４】
前記報知器は、徘徊者の家族及び／叉は管理者が携帯可能な携帯型叉は所定位置に設置する固定型であることを特徴とする請求項３に記載の徘徊者監視装置。
【考案の詳細な説明】
【技術分野】
【０００１】
本考案は、徘徊者等が着用する衣服に名札タグを装着し、該徘徊者等が玄関、エレベーター前、勝手口等に近づくと、徘徊ナビモニターで検知して管理者等に報知する名札タグ及び該名札タグを用いた徘徊者検知装置に関する。
【背景技術】
【０００２】
病院、介護施設及び家庭等において徘徊者等の世話を行う場合、管理者には精神的、肉体的に非常に大きな負担がかかるため、これらを軽減するために様々な支援装置が提案されている。例えば、本出願人は、前記介護支援装置に用いるセンサーとして、徘徊者等がベッド、車いす叉は椅子等から離床或いは離席したことを検知するマットセンサーを開示している（例えば、特許文献１参照。）。
【先行技術文献】
【特許文献】
【０００３】
【特許文献１】特開２００５−１５２６１６号公報
【考案の概要】
【考案が解決しようとする課題】
【０００４】
ところが、特許文献１に示すマットセンサーは、人体に反応するものであるため、徘徊者だけでなく、管理者等が所定場所に設置したマットセンサーを踏むと反応するという問題点があり、徘徊者のみを検知する徘徊者検知装置が望まれていた。
【課題を解決するための手段】
【０００５】
本考案は、前記課題を解決するために成されたものである。名札タグは、徘徊者が着用する衣服に装着可能な係止手段を有しており、名札を挿入又は挟持する少なくとも前面が透明又は半透明な名札部と、該名札部に装着された無線発信機より構成されている。前記名札部は、徘徊者等が親しみやすい花、野菜、動物叉は丸や四角等の図形を模した形状としている。該無線発信機は、予め登録された識別信号を特定周波数域の近距離無線信号で継続して発信するもので、高周波発振回路、信号送信回路、アンテナ、制御回路及び電池より構成されている。
【０００６】
また、前記名札タグは、常時、徘徊ナビモニターに対して予め登録された識別信号を、例えば１〜３秒毎に間欠送信している。
【０００７】
徘徊者監視装置は、名札タグと、該名札タグから発信された無線信号を受信して、報知用信号を発信する徘徊ナビモニターと、該徘徊ナビモニターから発信された報知用信号を徘徊者の家族及び／叉は管理者に報知する報知器から構成されている。
【０００８】
前記徘徊者監視装置に用いる報知器は、徘徊者の家族及び／叉は管理者が携帯可能な携帯型叉は所定位置に設置する固定型を選択することができる。
【考案の効果】
【０００９】
本考案の、名札タグは、徘徊者等が親しみやすい花、野菜、動物叉は丸や四角等の図形を模した形状としており、名札には徘徊者本人の氏名叉は愛称が表示されているので拒否反応が少なくなり、徘徊者による名札タグの取り外しを防止することができる。また、玄関、エレベーター前、勝手口等に設置された徘徊ナビモニターは、名札タグのみに反応するので誤作動が無く、名札タグを装着した徘徊者のみを検知することができる。
【図面の簡単な説明】
【００１０】
【図１】本考案の名札タグの実施形態の一例を示すもので、（ａ）は正面図、（ｂ）は側面図である。
【図２】本考案の名札タグの他の実施形態を示す背面図である。
【図３】本考案の徘徊者検知装置の実施形態の一例を示す構成図である。
【図４】本考案の名札タグに装着された発信機の実施形態の一例を示すブロック図である。
【図５】本考案の徘徊ナビモニターの実施形態の一例を示すブロック図である。
【図６】本考案の報知器の実施形態の一例を示すブロック図である。
【考案を実施するための形態】
【００１１】
以下、本考案の実施形態について図面を参照して詳細に説明する。図１は、本考案の名札タグの実施形態の一例を示すもので、（ａ）は正面図、（ｂ）は側面図である。図１において、名札４は合成樹脂製で花びら状に形成した基板４１と、該基板４１の表面に苗字、名前叉は愛称等を記入した名前カード４２と、該名前カード４２を挿入叉は挟持する透明叉は半透明の合成樹脂製カード保持部４３が形成されている。前記基板４１の裏面上部には、徘徊者の衣服に止着するクリップ４４が設けられている。なお、クリップ４４に限定されるものではなく、安全ピン４５など同機能を有する係止具を用いることができる。
【００１２】
前記名札４の裏面には、無線発信機５が固着されており、予め登録された識別信号を特定周波数域の近距離無線信号で、継続して発信する。発信間隔は、例えば、１〜３秒毎に発信している。
【００１３】
図２は、本考案の名札タグ１の他の実施形態を示す背面図である。図２において、名札４は透明叉は半透明の合成樹脂を用いることができる。前記名札４の裏面上部には、徘徊者の衣服に止めるクリップ４４及び安全ピン４５が設けられている。これにより、徘徊者の衣服のデザインに合わせて、クリップ４４叉は安全ピン４５を使い分けることができる。また、前記名札４の裏面には、無線発信機５が固着されており、予め登録された識別信号を特定周波数域の近距離無線信号で、継続して発信する。発信間隔は、例えば、１〜３秒毎に発信している。  
【００１４】
図３は、本考案の徘徊者検知装置の実施形態の一例を示す構成図である。図３において、１は名札タグ、２は徘徊ナビモニター、３は報知器である。前記名札タグ１は徘徊者等が着用する衣服に装着するもので、無線発信機５から、予め登録された識別信号を特定周波数域の近距離無線信号を、徘徊ナビモニター２に継続して発信している。前記徘徊ナビモニター２は、徘徊者が居住している区域にある玄関、エレベーター前、勝手口等の複数個所に設置されており、該徘徊者がこれら徘徊ナビモニター２に近づくと、該徘徊ナビモニター２は徘徊者が装着している名札タブ１の識別番号を受信し、その受信信号を報知器３に発信するものである。前記報知器３は、携帯型と固定型があり、前記徘徊ナビモニター２からの識別番号を受信すると、液晶画面表示、ＬＥＤランプ、ブザー叉はスピーカー或いはバイブレーター等、少なくとも１以上の報知手段を用いてで管理者等に報知する。
【００１５】
図４は、本考案の名札タグ１に装着された無線発信機５の実施形態の一例を示すブロック図である。図４において、無線発信機５は略３０ｍｍ縦×３０ｍｍ横×１１ｍｍ厚であり、３１４ＭＨｚの微弱電波を発信する高周波発振回路５１と、送信回路５２と、アンテナ５３と、制御回路５４及びボタン電池５５（３Ｖ）より構成されている。
【００１６】
図５は、本考案の徘徊ナビモニター２の実施形態の一例を示すブロック図である。図５において、徘徊ナビモニター２は、無線発信機５からの識別信号を受信アンテナ２２で受信する受信回路２３と、受信した識別信号を送信アンテナ２４から１０ｍＷの特定小電力で送信する送信回路２３と、前記受信回路２１及び送信回路２３を制御する制御回路２５と、前記無線発信機５の識別番号を設定するＩＤ設定器２６と、電源２７（ＡＣアダプター付属）より構成されている。前記ＩＤ設定器２６は、５グループ、１０チャンネルで、５０ＩＤが登録可能であり、ＩＤ設定器２６に設けられたダイヤル式叉は回転式スイッチで登録する。
【００１７】
図６は、本考案の報知器３の実施形態の一例を示すブロック図である。図６において、報知器３は俳諧ナビモニター２から発信された識別信号を受信アンテナ３２から受信する受信回路３１と、徘徊ナビモニター２で設定したＩＤと一致させるためのＩＤ設定器３３（５グループ、１０チャンネルの５０ＩＤが登録可能であり、ＩＤ設定器に設けられたダイヤル叉はスイッチで登録する。）と、前記受信回路３１、ＩＤ設定器３３を制御し、設定された報知手段３６で報知する制御回路３４と、電源３５より構成されている。前記報知手段３６は、ＬＥＤ液晶画面、ＬＥＤランプ、ブザー叉はスピーカー或いはバイブレーター等のうち、少なくとも１以上を装備した構成としている。なお、携帯型は、管理者等が携帯可能な形状で充電式バッテリーを装備しており、固定型はＡＣ電源（ＡＣアダプター付）を装備している。
【産業上の利用可能性】
【００１８】
本考案の名札タグは、徘徊者等が親しみやすい形状としており、名札には徘徊者本人の氏名叉は愛称が表示されているので、徘徊者による拒否反応が少ない。したがって、病院、介護施設及び家庭等において徘徊者等の検知装置として広く用いることが期待できる。
【符号の説明】
【００１９】
１  名札タグ
２  徘徊ナビモニター
２１、３１  受信回路
２２、３２  受信アンテナ
２３、送信回路
２４、送信アンテナ
２５、３４、５４  制御回路
２６、３３  ＩＤ設定器
２７、３５  電源
３  報知器
３６  報知手段
４  名札
４１  基板
４２  名前カード
４３  カード保持部
４４  クリップ
４５  安全ピン
５  無線発信機
５１  高周波発信回路
５２  信号送信回路
５３  送信アンテナ
５５  ボタン電池
【図１】
0003207599.tif 000003
【図２】
0003207599.tif 000004
【図３】
0003207599.tif 000005
【図４】
0003207599.tif 000006
【図５】
0003207599.tif 000007
【図６】
0003207599.tif 000008